(57)【要約】【課題】ストロボを備えるデジタルカメラにおいて、ズームレンズのワイド側におけるストロボ照射範囲の拡大及びテレ側における光量増大を図る。【解決手段】デジタルカメラ１は２つの内蔵ストロボ２ａ、２ｂを有する。デジタルカメラ１のプロセッサは、ユーザの設定したズームレンズ５のズーム位置に応じ、内蔵ストロボ２ａ、２ｂの照射方向を可変制御する。ズームレンズ５のズーム位置がワイド側に設定された場合、内蔵ストロボ２ａ、２ｂの照射方向は互いに離れる方向に制御されてストロボ照射範囲が拡大され、ズームレンズ５のズーム位置がテレ側に設定された場合、内蔵ストロボ２ａ、２ｂの照射方向は互いに交差する方向に制御されてストロボ照射範囲を重複させて光量を増大させる。【選択図】図１
2007033523.tif 000002
【特許請求の範囲】
【請求項１】
ズームレンズを備える撮像光学系と、
前記ズームレンズのズーム位置を設定するユーザ操作手段と、
第１及び第２のストロボと、
前記ユーザ操作手段により設定されたズーム位置に応じて前記第１及び第２のストロボの照射方向を制御するストロボ制御手段であって、前記ズーム位置がテレ側に設定されるほど、前記第１及び第２のストロボの照射方向を互いに交差させる方向に可変制御するストロボ制御手段と、
を有することを特徴とする撮像装置。
【請求項２】
請求項１記載の装置において、
前記ストロボ制御手段は、前記設定されたズーム位置が前記ズームレンズの最短焦点距離に対応する場合には前記第１及び第２のストロボの照射方向を互いに離れるように制御して前記第１及び第２のストロボの照射範囲を拡大させ、前記設定されたズーム位置が前記ズームレンズの最長焦点距離に対応する場合には前記第１及び第２のストロボの照射方向を互いに交差させるように制御して前記第１及び第２のストロボの照射範囲を重複させて光量を拡大させることを特徴とする撮像装置。
【請求項３】
請求項１、２のいずれかに記載の装置において、
前記ストロボ制御手段は、予め前記設定されたズーム位置と、前記設定されたズーム位置それぞれにおける前記第１及び第２ストロボの照射方向との関係を規定するテーブルを記憶する記憶手段を有し、前記テーブルを参照することで前記設定されたズーム位置に対応する前記第１及び第２のストロボの照射方向を制御することを特徴とする撮像装置。
【請求項４】
請求項１〜３のいずれか１つに記載の装置において、
前記ストロボ制御手段は、前記第１及び第２ストロボの照射方向を、ストロボ照射範囲が撮影画角より広く、かつ、前記ズームレンズの光軸方向に近い方向に制御することを特徴とする撮像装置。
【請求項５】
請求項１〜４のいずれか１つに記載の装置において、
前記撮像光学系は、固定焦点距離レンズを有する第１撮像光学系と、前記ズームレンズを有する第２撮像光学系の２つの光学系を有することを特徴とする撮像装置。
【請求項６】
請求項１〜４のいずれか１つに記載の装置において、
前記撮像光学系は、互いに焦点距離範囲の異なる２つのズームレンズをそれぞれ有する２つの光学系を有することを特徴とする撮像装置。
【請求項７】
請求項１〜４のいずれか１つに記載の装置において、さらに、
前記ストロボ制御手段は、前記撮像光学系で得られる画角内における測距エリア内に存在する被写体に照射される光量が増大するように前記第１及び第２のストロボの照射方向を制御することを特徴とする撮像装置。
【発明の詳細な説明】
【技術分野】
【０００１】
本発明は撮像装置、特に複数のストロボを備える撮像装置に関する。
【背景技術】
【０００２】
デジタルカメラ等の撮像装置においては、画角内を均一に照射でき、かつ、発光量の大きなストロボを備えることが要望されている。デジタルカメラに搭載されるズームレンズは、小型化を実現するために、短焦点距離側（ワイド側）に比べて長焦点距離側（テレ側）の方がＦナンバが大きく、単位面積当たりに得られる光量が小さい設計になる傾向がある。
【０００３】
このことから、ワイド側ではストロボの光量が比較的小さくてもよいが広い画角内を均一に照射できるストロボが要求され、その一方でテレ側では十分な光量を照射できるストロボが要求されることになる。
【０００４】
下記の特許文献１には、必要に応じて内蔵及び外部ストロボをともに発光させてガイドナンバを増大することが開示されている。
【０００５】
また、下記の特許文献２には、撮像レンズのズーム駆動に応じてストロボの照射角度を変化させるズームストロボが開示されている。
【０００６】
また、下記の特許文献３には、被写体が所定距離よりも遠い場合に第１もしくは第２のストロボのうちのいずれかを発光させ、被写体が所定距離よりも近い場合に両方のストロボを発光させることが記載されている。
【０００７】
【特許文献１】特開２００１−３３７３７３号公報
【特許文献２】特開２００４−３７６２９号公報
【特許文献３】特開平７−１０４３５６号公報
【発明の開示】
【発明が解決しようとする課題】
【０００８】
しかしながら、上記の従来技術はいずれもワイド側における画角内の均一照射と、テレ側における光量増大をともに満足し得るものではない。すなわち、特許文献１ではガイドナンバを増大できるもののワイド側において画角内を均一に照射することはできず、特許文献２及び特許文献３では光量が不足するおそれがある。また、画角内を均一に照射できるだけでなく、特に特定部位、特にフォーカス制御用の測距エリア内に存在する被写体の照射光量を増大させてより明瞭な撮影画像を得たいと欲する場合も少なくない。
【０００９】
本発明の目的は、被写体を撮影する際の画角がワイド側であってもテレ側であっても、適正な光量を適正な範囲でストロボ光照射できる撮像装置を提供することにある。
【課題を解決するための手段】
【００１０】
本発明は、ズームレンズを備える撮像光学系と、前記ズームレンズのズーム位置を設定するユーザ操作手段と、第１及び第２のストロボと、前記ユーザ操作手段により設定されたズーム位置に応じて前記第１及び第２のストロボの照射方向を制御するストロボ制御手段であって、前記ズーム位置がテレ側に設定されるほど、前記第１及び第２のストロボの照射方向を互いに交差させる方向に可変制御するストロボ制御手段とを有することを特徴とする。
【００１１】
本発明の１つの実施形態では、前記ストロボ制御手段は、前記設定されたズーム位置が前記ズームレンズの最短焦点距離に対応する場合には前記第１及び第２のストロボの照射方向を互いに離れる方向に制御して前記第１及び第２のストロボの照射範囲を拡大させ、前記設定されたズーム位置が前記ズームレンズの最長焦点距離に対応する場合には前記第１及び第２のストロボの照射方向を互いに交差させるように制御して前記第１及び第２のストロボの照射範囲を重複させて光量を増大させる。また、本発明の他の実施形態では、画角内の測距エリアに存在する被写体に重点的にストロボ光が照射されるように第１及び第２のストロボの照射方向を制御する。
【発明の効果】
【００１２】
本発明によれば、第１及び第２のストロボの照射方向を適応的に変化させることで、ワイド側における画角内の均一照射と、テレ側における光量増大をともに達成することができる。また、画角内で重要な被写体部分の照射光量を自在に調整することができる。
【発明を実施するための最良の形態】
【００１３】
以下、図面に基づき本発明の実施形態について説明する。
【００１４】
図１に、本実施形態にかかるデジタルカメラの外観斜視図を示す。デジタルカメラ１は２つの内蔵ストロボ２ａ、２ｂ（図では第１ストロボ、第２ストロボ）を有する。内蔵ストロボ２ａ、２ｂはデジタルカメラ１のズームレンズ５の上方に、互いに所定間隔だけ離間して左右に配置される。内蔵ストロボ２ａ、２ｂは同一水平面内に配置される。内蔵ストロボ２ａ、２ｂはそれぞれ照射方向（照射光軸）が水平面内で可変できるように構成される。内蔵ストロボ２ａ、２ｂは同時に発光駆動される。ストロボの構成は周知であり、主に昇圧回路、充電制御回路、メインコンデンサ及び放電管を備える。昇圧回路でバッテリの端子電圧を昇圧してメインコンデンサを充電する。充電制御回路は、昇圧回路によるメインコンデンサの充電を制御する。デジタルカメラ１からの発光指令に応じてメインコンデンサに蓄積された電荷が放電管に供給されてストロボ発光する。デジタルカメラ１は内蔵ストロボ２ａ、２ｂの他に外部ストロボ（外付ストロボ）を取り付けることができるように構成されており、外部ストロボ取付用にデジタルカメラ１上面にホットシュー３を備える。ホットシュー３はシンクロ接点３ａ、通信用接点３ｂを有し、シンクロ接点３ａを介してデジタルカメラ１本体からの発光信号を外部ストロボに供給し、通信用接点３ｂを介してその他の信号を外部ストロボに供給する。デジタルカメラ１はさらに測光用の受光素子４を有する。受光素子４は、被写体から反射した光量に応じた電気信号を検出する。
【００１５】
図２に、デジタルカメラ１の構成ブロック図を示す。ＣＣＤ２０は、ズームレンズ５で結像された被写体像を電気信号に変換して出力する。イメージセンサとしてのＣＣＤの代わりにＣＭＯＳを用いてもよい。ズームレンズ５のズーム範囲は任意であるが、例えば３５ｍｍフィルム換算焦点距離で２５ｍｍ−１２５ｍｍである。Ａ／Ｄ２２は、ＣＣＤセンサ２０からのアナログ信号をデジタル信号に変換してプロセッサ２４に供給する。
【００１６】
受光素子４は、上記のとおり被写体からの反射光を受光し、その光量を電気信号に変換して出力する。Ａ／Ｄ２３は、受光素子４からのアナログ信号をデジタル信号に変換してプロセッサ２４に供給する。
【００１７】
ユーザコントロール２５はユーザが操作するボタンやスイッチ、タッチスイッチであり、電源スイッチやシャッタボタン、モード設定ボタン、ズームボタン等を含む。
【００１８】
プロセッサ２４はユーザのシャッタボタンの操作に応答して、ＣＣＤ２０で得られた画像を処理し、ＪＰＥＧフォーマットとしてあるいはＲＡＷフォーマットとしてメモリカード２８に記憶する。プロセッサ２４における画像処理は、ホワイトバランス調整、エッジ強調、ガンマ補正等である。プロセッサ２４はＣＣＤ２０で得られた画像のサムネイル画像を生成してメモリカード２８に記憶してもよい。サムネイル画像は、メモリカード２８に記憶された画像をＬＣＤ３０に表示させてユーザがブラウズする際に用いられる。メモリカード２８はフラッシュメモリその他の任意の記憶媒体から構成され、着脱自在なリムーバブルメモリカードであることが好適である。また、プロセッサ２４はＣＣＤ２０で得られた画像を処理し、ＬＣＤ３０に表示する。ＬＣＤ３０に表示される画像は、ＣＣＤ２０で得られた画像のデータを間引いた低解像度画像でよい。プロセッサ２４はまたユーザのズームボタンの操作に応じてズームレンズ５のズーム位置及びフォーカス位置を調整する。ズームレンズ５のズーム位置及びフォーカス位置は、共通のモータで制御される。プロセッサ２４はさらに受光素子４での測光結果に応じてシャッタ速度及び絞り量を制御し、さらに内蔵ストロボ２ａ、２ｂの駆動の要否を制御するが、これについては周知であるため省略する。プロセッサ２４は内蔵ストロボ２ａ、２ｂの発光が必要であり、かつ、内蔵ストロボ２ａ、２ｂの発光が可能である（発光に十分な電荷がストロボコンデンサに既にチャージされている）場合に内蔵ストロボ２ａ、２ｂを発光させるが、このときにユーザコントロール２５で設定されたズーム位置に応じて内蔵ストロボ２ａ、２ｂの照射光軸を可変設定して発光させる。プロセッサ２４は、ユーザコントロール２５からのズーム位置情報に応じ、ドライバ１０を制御してストロボ２ａ、２ｂの照射光軸を変化させる。
【００１９】
図３及び図４に、ズーム位置に応じた内蔵ストロボ２ａ、２ｂの照射光軸の変化を示す。図３は、デジタルカメラ１の平面図である。上述したように、内蔵ストロボ２ａ、２ｂはその照射光軸が水平面内において可変（回動自在）に構成されている。右側内蔵ストロボ２ａの照射光軸１００ａとズームレンズ５の光軸２００とのなす角度をθａ（但し、時計回りを正とする）、左側内蔵ストロボ２ｂの照射光軸１００ｂとズームレンズ５の光軸２００とのなす角度をθｂとする。右側内蔵ストロボ２ａに関しては、ズーム位置がワイド側からテレ側に移動するにしたがって照射光軸１００ａは外側に向かう方向から内側に向かう方向に変化する。また、左側内蔵ストロボ２ｂに関しても同様であり、ズーム位置がワイド側からテレ側に移動するにしたがって照射光軸１００ｂは外側に向かう方向から内側に向かう方向に変化する。
【００２０】
図４に、ズーム位置とθａ、θｂの関係を示す。ズーム位置がズームレンズ５の最短焦点距離ｆｍｉｎにあるときにはθａは正の値であり、すなわち照射光軸１００ａはズームレンズ５の光軸２００から離れる方向に向く。一方、θｂは負の値であり、すなわち照射光軸１００ｂもズームレンズ５の光軸２００から離れる方向に向く。この結果、ワイド側のズーム位置ｆｍｉｎでは両内蔵ストロボ２ａ、２ｂは互いに逆方向を向くことになり、２つのストロボ２ａ、２ｂを合わせたストロボ照射範囲が拡大する。これは、ワイド側における画角に均一にストロボ光を照射できることを意味する。ズーム位置がｆｍｉｎからテレ側に移動すると、θａは徐々に小さくなり、やがてあるズーム位置で０となり、その後負の値となる。一方、θｂは徐々に大きくなり、やがてあるズーム位置で０となり、その後正の値となる。ズーム位置がズームレンズ５の最長焦点距離ｆｍａｘにあるときにはθａは負の値であり、すなわち照射光軸１００ａはズームレンズ５の光軸２００に近づく方向に向く。一方、θｂは正であり、すなわち照射光軸１００ｂもズームレンズ５の光軸２００に近づく方向に向く。この結果、テレ側のズーム位置ｆｍａｘでは両内蔵ストロボ２ａ、２ｂは互いに同じ方向を向くことになり、２つのストロボ２ａ、２ｂの照射範囲が重複し、光量が増大する。これは、テレ側において照射光量を増大できることを意味する。
以上のようにして、ワイド側における広角画角の均一照射要求と、テレ側における光量増大要求を同時に満たすことが可能となる。
【００２１】
プロセッサ２４は、図４に示すようなプロファイルでズーム位置に応じてθａ、θｂを制御する。具体的には、予めズーム位置に対するθａ、θｂの値をテーブルとしてメモリに記憶しておき、ユーザにより設定されたズーム位置に対応するθａ、θｂをテーブルから読み出してドライバ１０を制御する。テーブルで規定されるθａ、θｂが満たすべき条件は、偏向されたストロボ光の照射範囲が撮影画角よりも広く、かつ、できるだけ撮影光軸（レンズ光軸）に近い角度とする、というものである。例えば、ワイド側のズーム位置ｆｍｉｎに関しては、θａは正の大きな値、θｂは負の大きな値とすることでストロボ光の照射範囲を撮影画角よりも広くすることができるが、徒に広くしても被写体に照射される光量が低下する。したがって、θａ、θｂは光軸２００に近く、つまりその絶対値はできるだけ小さい方が好ましい。
【００２２】
図５に、ユーザがユーザコントロール２５のズームスイッチを「テレ」側に操作してズームレンズ５をテレ側に設定した場合のストロボ２ａ、２ｂの照射光軸１００ａ、１００ｂ及びそれぞれのストロボ光の照射範囲を示す。なお、図には併せて内蔵ストロボ２ａ、２ｂの構成及びドライバ１０の構成を示す。ストロボ２ａは、閃光発光管（放電管）２ａ−１、反射鏡２ａ−２及び前面パネル２ａ−３を有する。閃光発光管２ａ−１で発光したストロボ光は反射鏡２ａ−２で反射され、前面パネル２ａ−３を通過して外部に射出される。内蔵ストロボ２ｂも同様である。内蔵ストロボ２ａ、２ｂのケースの一端はリンク１０ａに接続され、リンク１０ａの移動に連動して内蔵ストロボ２ａ、２ｂは回転軸を中心に回動自在に軸支される。リンク１０ａは平面形状が２又に分かれたＹ字型の開閉機構であり、２又の一方は内蔵ストロボ２ａに接続され、他方は内蔵ストロボ２ｂに接続される。リンク１０ａはプッシュロッドガイド１０ｂに沿って図中上下方向に移動するプッシュロッド１０ｃの動きに連動して開閉する。プロセッサ２４からの制御信号に応じ、プッシュロッド１０ｃがプッシュロッドガイド１０ｂに沿って下方に移動すると（デジタルカメラ１の背面側に移動することを意味する）、これに応じてリンク１０ａが閉じ、リンク１０ａの動作に応じて内蔵ストロボ２ａは回転軸を中心に反時計方向に回転し、内蔵ストロボ２ｂは回転軸を中心に時計方向に回転する。プッシュロッド１０ｃはズームレンズ５のズーム及びフォーカス駆動用カム機構に連動して移動してもよく、プロセッサ２４はズームレンズ５のズーム及びフォーカス駆動用カム機構を駆動するとともにプッシュロッド１０ｃを駆動できる。このようにして、図５に示すように、内蔵ストロボ２ａ、２ｂは互いに同一方向を向くように制御される。内蔵ストロボ２ａ、２ｂの照射範囲は互いに重複し、重複部分では２つのストロボ光の加算により光量が増大する。ズームレンズ５の最長焦点距離ｆｍａｘ、すなわちテレ端では、２つの光軸１００ａ、１００ｂは約１．５ｄｅｇだけ互いに交差するように設定される。
【００２３】
図６に、ユーザがユーザコントロール２５のズームスイッチを「ワイド」側に操作してズームレンズ５をワイド側に設定した場合のストロボ２ａ、２ｂの照射光軸１００ａ、１００ｂ及びそれぞれのストロボ光の照射範囲を示す。プロセッサ２４からの制御信号に応じ、プッシュロッド１０ｃがプッシュロッドガイド１０ｂに沿って図中上方に移動すると（デジタルカメラ１の前面側に移動することを意味する）、これに応じてリンク１０ａが開き、リンク１０ａの動作に応じて内蔵ストロボ２ａは回転軸を中心に時計方向に回転し、内蔵ストロボ２ｂは回転軸を中心に反時計方向に回転する。このようにして、図６に示すように、内蔵ストロボ２ａ、２ｂは互いに離れる方向を向くように制御される。内蔵ストロボ２ａ、２ｂの照射範囲は拡大し、２つのストロボ光は広い範囲にわたって（特に左右方向の広い範囲にわたって）均一に照射される。ズームレンズ５の最短焦点距離ｆｍｉｎ、すなわちワイド端では、２つの光軸１００ａ、１００ｂは約１７ｄｅｇ互いに離れるように設定される。
【００２４】
図７及び図８に、それぞれテレ側とワイド側におけるストロボ光の、被写体面における照射範囲を示す。内蔵ストロボ２ａ、２ｂは、それぞれ上下方向に約６０ｄｅｇ、左右方向に約４５ｄｅｇの範囲にストロボ光を照射する。これらの図から、単一のストロボを発光させる場合に比べ、テレ側では狭い範囲にストロボ光が重畳されて光量が増大し（約１．４倍のガイドナンバが得られる）、ワイド側では広い範囲に均一にストロボ光が照射されることが理解されよう。
【００２５】
図９に、デジタルカメラ１の他の構成ブロック図を示す。図２ではデジタルカメラ１が単一のズームレンズ５を有する構成について示したが、図９では２つのレンズ５ａ、５ｂを有する構成を示す。２つのレンズ５ａ、５ｂはデジタルカメラ１の前面に上下方向に配置される。２つのレンズ５ａ、５ｂは一方のレンズが固定焦点距離レンズで他方のレンズがズームレンズでもよく、いずれのレンズもズームレンズでもよい。いずれのレンズもズームレンズである場合、それぞれのズーム範囲は異なるように設定する。例えば、レンズ５ａは３５ｍｍフィルム換算焦点距離で２５ｍｍ−７５ｍｍのズームレンズ、レンズ５ｂは３５ｍｍフィルム換算焦点距離で８５ｍｍ−２００ｍｍのズームレンズである。
【００２６】
第１のレンズ５ａは第１ＣＣＤセンサ２０ａに結像する。第１ＣＣＤセンサ２０ａは光学画像を電気信号に変換してＡ／Ｄ２２ａに出力する。Ａ／Ｄ２２ａはアナログ信号をデジタル信号に変換してプロセッサ２４に供給する。一方、第２のレンズ５ｂは第２ＣＣＤセンサ２０ｂに結像する。第２ＣＣＤセンサ２０ｂは光学画像を電気信号に変換してＡ／Ｄ２２ｂに出力する。Ａ／Ｄ２２ｂはアナログ電気信号をデジタル信号に変換してプロセッサ２４に供給する。プロセッサ２４は、ユーザコントロール２５で設定されたズーム位置に応じて第１ＣＣＤセンサ２０ａからの信号と第２ＣＣＤセンサ２０ｂからの信号を切り替えて処理し、処理結果の画像をメモリカード２８に記憶し、またＬＣＤ３０に表示する。
【００２７】
このような構成のデジタルカメラ１においても、図２に示されたデジタルカメラ１と同様に、プロセッサ２４はズーム位置に応じて内蔵ストロボ２ａ、２ｂの照射方向を可変制御する。第１のレンズ５ａが３５ｍｍ版換算焦点距離で２５ｍｍの固定焦点距離レンズ、あるいは３５−１０５ｍｍのズームレンズである場合、ユーザコントロール２５により設定されたズーム位置がワイド側である場合、第１のレンズ５ａ及び第１ＣＣＤ２０ａが選択され、プロセッサ２４は第１のレンズ５ａのズーム位置に応じて内蔵ストロボ２ａ、２ｂの照射方向を制御する。ユーザコントロール２５により設定されたズーム位置がテレ側である場合、第２のレンズ５ｂ及び第２ＣＣＤセンサ２０ｂが選択され、プロセッサ２４は第２のレンズ５ｂのズーム位置に応じて内蔵ストロボ２ａ、２ｂの照射方向を制御する。第１のレンズ５ａ及び第１ＣＣＤ２０ａが選択された場合、内蔵ストロボ２ａ、２ｂの照射方向は図６に示すように互いに離れるように制御され、第２のレンズ５ｂ及び第２ＣＣＤ２０ｂが選択された場合、内蔵ストロボ２ａ、２ｂの照射方向は図５に示すように互いに近づくように（互いに交差するように）制御される。
【００２８】
このように、本実施形態では、焦点距離の異なる複数の撮像光学系を備えたデジタルカメラにおいて、ズーム時にストロボ光束の損失が少なく、配光分布が均一でありながら高いガイドナンバを実現することができる。また、本実施形態では、ワイド側では２つの内蔵ストロボ２ａ、２ｂの照射光軸が互いに離れるように制御されるので、近接被写体の撮影（いわゆるマクロ撮影）時において、通常は１方向からストロボを照射する際に生じてしまう、撮影に有害な影の発生も防止でき、より優れた撮影画像を得ることが可能である。この影生成防止効果は、２つの内蔵ストロボ２ａ、２ｂの離間間隔が増大するほど高くなる。本実施形態では、２つの内蔵レンズ２ａ、２ｂの離間間隔は固定としているが、離間間隔を可変としてもよい。
【００２９】
以上、本発明の実施形態について説明したが、本発明はこれらの実施形態に限定されるものではなく、他の実施形態も可能である。
【００３０】
例えば、図４ではθａ、θｂはズーム位置に対してリニアに変化しているが、θａ、θｂはズーム位置に対してノンリニアに変化してもよい。図１０及び図１１にθａ、θｂの他のプロファイルを示す。図１０において、θａは、ｆｍｉｎからθａ＝０、つまり光軸２００と同一方向になるズーム位置ｆｔｈまでは急峻に減少し、その後ｆｍａｘまでは穏やかに減少する。θｂは、ｆｔｈまでは急峻に増加し、その後ｆｍａｘまでは穏やかに増加する。図１１において、θａは、ｆｍｉｎからｆｔｈ２まではリニアに減少し、その後ｆｍａｘまでは負の一定値となる。θｂは、ｆｍｉｎからｆｔｈ２まではリニアに増大し、その後ｆｍａｘまでは正の一定値となる。図４、図１０、図１１においても、θａ及びθｂは、同一ズーム位置に対してその絶対値は等しく符号は反対である。
【００３１】
また、本実施形態では、ストロボ照射光軸の交差点をレンズ光軸２００上に配置し、ズーム位置がワイド側の際に画角内を均一に照射するように制御する例について説明したが、さらに画角内の特定位置にストロボ照射光を集中させるように制御することも可能である。例えば、多点測距機能を有するデジタルカメラ１において、２つのストロボ２ａ、２ｂの照射光軸をそれぞれ独立に駆動する機構を備える。ワイド側撮影時にＡＦ合焦位置近傍を２つのストロボ照射光で重点的に照射する。図１２及び図１３に、デジタルカメラ１のファインダあるいはＬＣＤ３０に表示される画面５０の一例を示す。図１２、図１３において、測距エリア５２が示されており、これらのエリアでフォーカス合わせが実行される。したがって、画角内におけるこれらの測距エリアを重点的に照射するように２つのストロボ２ａ、２ｂの光軸を駆動する。あるいは、多点測距機能により被写体位置が画角内で異なることが分かっている場合、より遠距離にある被写体に対して２つのストロボ２ａ、２ｂの照射光を向けることで、見かけ上、画角内を均一に照射することができる。さらに、プレビュー時にユーザが十字キー等を用いて画角内のエリアを選択し、その方向へ２つのストロボ２ａ、２ｂの照射方向を向けるように制御してもよい。図１４に、ユーザが画角内で指定した特定位置に向けてストロボ２ａ、２ｂの光軸１００ａ、１００ｂを回転させた例を示す。
【００３２】
さらに、本実施形態では、２つのストロボ２ａ、２ｂの光軸を左右方向に回転駆動する場合について説明したが、上下方向あるいは斜め方向に回転駆動してストロボ光の照射範囲あるいは照射方向を制御してもよい。
【図面の簡単な説明】
【００３３】
【図１】デジタルカメラの外観斜視図である。
【図２】デジタルカメラの構成ブロック図である。
【図３】２つの内蔵ストロボとレンズ光軸（撮影光軸）との関係を示す平面図である。
【図４】ズーム位置とθａ、θｂとの関係を示すグラフ図である。
【図５】ズーム位置がテレ側（テレ端）に設定された場合のストロボ照射方向を示す平面図である。
【図６】ズーム位置がワイド側（ワイド端）に設定された場合のストロボ照射方向を示す平面図である。
【図７】ズーム位置がテレ側（テレ端）に設定された場合のストロボ照射方向を示す斜視図である。
【図８】ズーム位置がワイド側（ワイド端）に設定された場合のストロボ照射方向を示す斜視図である。
【図９】デジタルカメラの他の構成ブロック図である。
【図１０】ズーム位置とθａ、θｂとの他の関係を示すグラフ図である。
【図１１】ズーム位置とθａ、θｂとのさらに他の関係を示すグラフ図である。
【図１２】画角内における測距エリア説明図である。
【図１３】画角内における測距エリア説明図である。
【図１４】ストロボ照射方向の他の説明図であり、任意の位置に向けて照射光軸が制御された場合の説明図である。
【符号の説明】
【００３４】
１  デジタルカメラ、２ａ，２ｂ  内蔵ストロボ、３  ホットシュー、４  受光素子、５  レンズ。
【図１】
2007033523.tif 000003
【図２】
2007033523.tif 000004
【図３】
2007033523.tif 000005
【図４】
2007033523.tif 000006
【図５】
2007033523.tif 000007
【図６】
2007033523.tif 000008
【図７】
2007033523.tif 000009
【図８】
2007033523.tif 000010
【図９】
2007033523.tif 000011
【図１０】
2007033523.tif 000012
【図１１】
2007033523.tif 000013
【図１２】
2007033523.tif 000014
【図１３】
2007033523.tif 000015
【図１４】
2007033523.tif 000016